(57)【要約】  アプリケータは、塗布面（１６）を含み、塗布面（１６）は中央領域（２２）及び人の唇の輪郭に類似する周囲線（２４）を有する。中央領域（２２）及び周囲輪郭線（２４）は前記化粧品を受容するためのものである。周囲線（２４）は、中央領域（２２）の向かいに塗布される化粧品の表面質量より大きい化粧品の表面質量を周囲線（２４）の向かいに塗布するための、使用者の唇への化粧品の好ましい塗布手段（２６）を備える。
2014527885.tif 000002
【特許請求の範囲】
【請求項１】
塗布面（１６）を含むタイプの、使用者の唇に化粧品を塗布するためのアプリケータ（１０；１１０；２１０；３１０；４１０）であって、前記塗布面（１６）は中央領域（２２）及び人の唇の輪郭に類似する周囲線（２４）を有し、前記中央領域（２２）及び前記周囲線（２４）は前記化粧品を受容するためのものであり、
前記周囲線（２４）は、前記中央領域（２２）の向かいに塗布される化粧品の表面質量より大きい化粧品の表面質量を前記周囲線（２４）の向かいに塗布するための、使用者の唇への化粧品の好ましい塗布手段（２６）を備えることを特徴とするアプリケータ。
【請求項２】
前記周囲線（２４）は、前記塗布面（１６）の外側を画定する外縁（３２）と前記外縁（３２）の輪郭とほぼ相似する内側輪郭縁（３４）との間に延在することを特徴とする請求項１に記載のアプリケータ（１０；１１０；２１０；３１０；４１０）。
【請求項３】
前記塗布面（１６）の長手方向の延長軸（Ａ−Ａ’）に垂直に測定される前記周囲線（２４）の最大幅は、前記延長軸（Ａ−Ａ’）に垂直に測定される前記中央領域（２２）の最大幅の２０％より小さいことを特徴とする請求項１または２に記載のアプリケータ（１０；１１０；２１０；３１０；４１０）。
【請求項４】
前記塗布面（１６）の延長軸（Ａ−Ａ’）に垂直に測定される前記周囲線（２４）の最大幅は４ｍｍより小さいことを特徴とする請求項１〜３のいずれか一項に記載のアプリケータ（１０；１１０；２１０；３１０；４１０）。
【請求項５】
前記好ましい塗布手段（２６）は、前記周囲線（２４）の全輪郭に有利に亘って延在するガター（５０）を備えることを特徴とする請求項１〜４のいずれか一項に記載のアプリケータ（１０）。
【請求項６】
前記好ましい塗布手段は、前記周囲線（２４）の全輪郭を有利に亘って配置された吸収面（１１２）を備えることを特徴とする請求項１〜５のいずれか一項に記載のアプリケータ（１１０）。
【請求項７】
前記好ましい塗布手段（２６）は、前記周囲線（２４）の全輪郭を有利に亘って延在する、前記中央領域（２２）の湿潤性より高い湿潤性を有する領域によって形成されることを特徴とする請求項１〜６のいずれか一項に記載のアプリケータ（２１０）。
【請求項８】
前記好ましい塗布手段は、前記周囲線（２４）上にエネルギー供給アセンブリ（３１２）、特に、前記周囲線（２４）を加熱するための部材（３１４）を備えることを特徴とする請求項１〜７のいずれか一項に記載のアプリケータ（３１１）。
【請求項９】
前記好ましい塗布手段は、前記周囲線（２４）上に前記化粧品を分配するためのアセンブリを備え、当該アプリケータ（４１０）が前記分配するためのアセンブリに接続された化粧品容器を含むことを特徴とする請求項１〜８のいずれか一項に記載のアプリケータ（４１０）。
【請求項１０】
前記中央領域（２２）は、ほぼ中実であるあることを特徴とする請求項１〜９のいずれか一項に記載のアプリケータ（１０；１１０；２１０；３１０；４１０）。
【請求項１１】
前記中央領域（２２）は、上の凹状の空間（２８Ａ）及び下の凹状の空間（２８Ｂ）を備える空洞（１８）を画定することを特徴とする請求項１〜１０のいずれか一項に記載のアプリケータ（１０；１１０；２１０；３１０；４１０）。
【請求項１２】
前記中央領域（２２）及び前記周囲線（２４）は、前記化粧品で覆われることを特徴とする請求項１〜１１のいずれか一項に記載のアプリケータ（１０；１１０；２１０；３１０；４１０）。
【請求項１３】
前記周囲線（２４）は、ほぼ凸状の下部（３６）と、２つの凸状の横領域（４０Ａ、４０Ｂ）及び中央の凹状の窪み（４２）を有する上部（３８）と、を備えることを特徴とする請求項１〜１２のいずれか一項に記載のアプリケータ（１０；１１０；２１０；３１０；４１０）。
【請求項１４】
使用者の唇に化粧品を塗布するための方法であって、
−  前記中央領域（２２）及び前記周囲線（２４）が化粧品で覆われた状態で請求項１〜１３のいずれかに記載のアプリケータ（１０；１１０；２１０；３１０；４１０）を提供するステップ；
−  前記使用者の唇に前記塗布面（１６）を適用するステップ；  
−  前記周囲線（２４）の向かいに堆積された化粧品の表面質量が、前記中央領域（２２）の向かいに堆積された化粧品の表面質量より大きくなるように、前記使用者の唇に化前記粧品を堆積させるステップ；
を含むことを特徴とする方法。
【請求項１５】
前記ステップの前に、前記塗布面（１６）上に化粧品を使用者が塗布するステップを含むことを特徴とする請求項１４に記載の方法。
【発明の詳細な説明】
【技術分野】
【０００１】
本発明は、塗布面を含むタイプの、使用者の唇に化粧品を塗布するためのアプリケータに関し、塗布面は中央領域と人の唇の輪郭に近似する周囲輪郭線とを有し、中央領域及び周囲輪郭線は化粧品を受容することが意図される。
【０００２】
化粧品は、例えば、口紅製品などの唇のメイクアップ製品である。より一般的に、「化粧品」は、特に１９９３年６月１４日付のＤｉｒｅｃｔｉｖｅ  ９３／３５  ＥＥＣ  ｏｆ  ｔｈｅ  Ｃｏｕｎｃｉｌにおいて定義されているような製品である。
【背景技術】
【０００３】
使用者の唇に化粧品を塗布するために、リップスティックを使用して滑動することによって製品を移す。
【０００４】
このような移転方式は効果的であるが、特に輪郭が作られる場所がいつも正確ではない。
【０００５】
急いでいる際、通常、使用者は、化粧直しが必要な場合に時間を無駄にしないように、長持ちするまたは鮮やかな色の製品を使うことを避けるだろう。
【０００６】
さらに、非常に満足のいく見返りを得るために、時間があるときは、使用者は輪郭を作るためのライナーと、唇の内側部分を覆うための通常のリップスティックとを使用し得る。
【０００７】
実行するのに時間がかかり面倒であるため、この化粧方法は、完全に満足のいくものではない。さらに、輪郭は、内側部分より長持ちすることが多く、時間の経過とともに化粧の不快な変化を生じることがある。
【０００８】
この課題を解消するために、例えば、特許文献１、特許文献２、特許文献３、特許文献４、特許文献５、特許文献６、特許文献７、特許文献８、特許文献９、特許文献１０、特許文献１１、特許文献１２、特許文献１３、特許文献１４、特許文献１５及び特許文献１６から、唇の形状を実質的に補完する形状を有する化粧塗布バッファを使用することが知られている。
【０００９】
このようなバッファは滑動によってではなく、押圧によって化粧品を塗布することを可能にする。従って通常、輪郭線は、一般的なリップスティックで得られるものより、大抵より整った形で得られる。
【００１０】
しかしながら、これらの文献に記載されたアプリケータは、完全に満足できるものではない。実際、バッファシステムが、ある場合では結果を改善しても、唇をつまむことによって欠陥を時々正す必要がある。しかしながら、唇の輪郭の上部分、具体的には「キューピッドの弓」のライン引きがくずれてしまう。
【００１１】
特に、バッファシステムは、キューピッドの弓において完全に整った結果をもたらさない。この領域では、輪郭線が整わず、面への塗布がオーバーしてしまう。
【００１２】
反対に、ある場合では、中央の面ではうまくいくが、線引き及び輪郭線が不完全である。
【００１３】
この課題を解消するために、エステティシャンに手助けしてもらう、または、時間をかけて矯正ペンシルで整った線引きすることも可能だが、化粧することを面倒なものにする。
【先行技術文献】
【特許文献】
【００１４】
【特許文献１】仏国特許第７５２８６０号明細書
【特許文献２】米国特許第２２７９７８１号明細書
【特許文献３】米国特許第２２０７９５９号明細書
【特許文献４】仏国特許第６６３８０５号明細書
【特許文献５】米国特許第２４１２０７３号明細書
【特許文献６】米国特許第３３０８８３７号明細書
【特許文献７】米国特許第２７３５４３５号明細書
【特許文献８】米国特許第１５５６７４４号明細書
【特許文献９】米国特許第２２４８５３３号明細書
【特許文献１０】米国特許第２４１６０２９号明細書
【特許文献１１】米国特許第１９４４６９１号明細書
【特許文献１２】米国特許第１７８２９１１号明細書
【特許文献１３】米国特許第２５５４９６５号明細書
【特許文献１４】米国特許第２１９９７２０号明細書
【特許文献１５】国際公開第２００８／０１３６０８号パンフレット
【特許文献１６】米国出願公開第２００３／２０９２５４号明細書
【発明の概要】
【発明が解決しようとする課題】
【００１５】
従って、本願発明の一つの目的は、均一な色の面と整った輪郭とを作ることによって使用者の唇に簡単に素早く化粧品を正確に配置することを可能にするアプリケータを提供することである。
【課題を解決するための手段】
【００１６】
このために、本願発明におけるアプリケータは、１つ以上の次の特徴を単独で、または、技術的に可能な任意の組み合わせで含んでもよい。
−  周囲線は、塗布面の外側を画定する外縁と外縁の輪郭とほぼ相似する内側輪郭縁との間に延在する；
−  塗布面の長手方向の延長軸に垂直に測定される周囲線の最大幅は、延長軸に垂直に測定される中央領域の最大幅の２０％より小さい；
−  塗布面の延長軸に垂直に測定される周囲線の最大幅は４ｍｍより小さい；
−  好ましい塗布手段は、周囲線の全輪郭を有利に亘って延在するガターを備える；
−  好ましい塗布手段は、周囲線の全輪郭を有利に亘って配置された吸収面を備える；
−  好ましい塗布手段は、周囲線の全輪郭を有利に亘って延在する、中央領域の湿潤性より高い湿潤性を有する領域によって形成される；
−  好ましい塗布手段は、周囲線上にエネルギー供給アセンブリ、特に、周囲線を加熱するための部材を備える；
−  好ましい塗布手段は、周囲線上に化粧品を分配するためのアセンブリを備え、このアプリケータは分配アセンブリに接続された化粧品容器を含む；
−  中央領域は、ほぼ中実である；
−  中央領域は、上の凹状の空間及び下の凹状の空間を備える空洞を画定する；
−  中央領域及び周囲線は、化粧品で覆われる；
−  周囲線は、ほぼ凸状の下部と、２つの凸状の横領域及び中央の凹状の窪みを有する上部と、を備える。
【００１７】
また、本願発明は、使用者の唇に化粧品を塗布するための方法に関し、次のステップを含む。
−  中央領域及び周囲領域が化粧品で覆われた状態で上述のアプリケータを提供するステップ；
−  使用者の唇に塗布面を適用するステップ；
−  周囲線の向かいに堆積された化粧品の表面質量が、中央領域の向かいに堆積された化粧品の表面質量より大きくなるように、使用者の唇に化粧品を堆積させるステップ； 
【００１８】
本願発明における方法は、１つ以上の次の特徴を単独で、または、技術的に可能な任意の組み合わせで含んでもよい。
−  供給ステップの前に、塗布面上の化粧品の使用者による塗布を含む；
【００１９】
本願発明は、単に例示として提供された次の説明を参考にし、かつ、添付図を参照すると理解しやすいだろう。
【図面の簡単な説明】
【００２０】
【図１】本願発明における第１の化粧品アプリケータの正面図である。
【図２】図１の横断面ＩＩにおける断面図である。
【図３】図２のアプリケータを形成するための裏当て型の側面図である。
【図４】本願発明における第２のアプリケータの図１と同等の図である。
【図５】本願発明における第３のアプリケータの図１と同等の図である。
【図６】本願発明における第４のアプリケータの図１と同等の図である。
【図７】本願発明における第５のアプリケータの図１と同等の図である。
【発明を実施するための形態】
【００２１】
本願発明における第１の化粧品アプリケータ１０が、図１及び図２に示される。このアプリケータ１０は、唇の輪郭に従って使用者の唇に化粧品を塗布するためのものである。
【００２２】
化粧品とは、例えば、口紅製品のなどの唇のメイクアップのための製品である。製品は流体状、特に液体またゲル状である。または、化粧品は固体またはクリームで形成される。
【００２３】
図１及び図２に示されるように、アプリケータ１０は、唇上への化粧品の塗布のための面１６を画定する本体１４を備える。
【００２４】
面１６は、使用者の唇の形に類似する形を有する本体１４の空洞１８において有利に画定される。
【００２５】
本体１４は、使用者の指でつかめるための、アプリケータ１０の後方部分２０を備える。
【００２６】
図１に示されるように、塗布面１６は、中空の中央領域２２と、人の唇の輪郭に合った形を有する周囲線２４とを含む。
【００２７】
本願発明によれば、周囲線２４には、使用者の唇への化粧品の好ましい塗布手段２６が装備される。
【００２８】
中央領域２２は、使用者の上唇及び下唇それぞれに対して補完する形を有する２つの凹状の空間２８Ａ及び２８Ｂを備える。凹状の空間２８Ａ、２８Ｂは、両唇の間に挿入されるように意図され、かつ、アプリケータ１０の水平な延長軸Ａ−Ａ’にほぼ沿って延在する中間突出部３０によって画定される。
【００２９】
中央領域２２は、中実またはほぼ中実である。
【００３０】
ほぼ中実とは、軸Ａ−Ａ’を通過する垂直面において投影された際、この面に設けられる開口の最大スパンが、中央領域２２の総スパンの７５％より小さい、より好ましくは４０％より小さいことを意味する。
【００３１】
これにより、化粧品が中央領域２２に配置された際、使用者の唇のほぼ全面に亘って覆われるように塗布され得る。
【００３２】
周囲線２４は、中央領域２２の周りに延在する。外側は外縁３２で画定され、内側は、外縁３２にほぼ相似した形を有する内縁３４によって画定される。
【００３３】
延長軸Ａ−Ａ’に垂直に測定された周囲線２４の最大幅は、軸Ａ−Ａ’に垂直に測定された中央領域２２の最大幅の２０％より小さい。
【００３４】
従って、周囲線２４の最大幅は通常４ｍｍより小さい。
【００３５】
そして、周囲線によって占領された面は、軸Ａ−Ａ’を通過する垂直面において投影された際、同じ面における、中央領域２２によって占領される面の２０％より小さい。
【００３６】
周囲線２４は、使用者の唇の形と類似した形を有する、塗布面１６の輪郭を画定する。
【００３７】
これにより、線２４は、軸Ａ−Ａ’の両側に延在する、湾曲しかつ概ね凸状の下部３６と上部３８とを備える。上部３８は、唇のキューピッドの弓の形を再現するために、２つの凸状の領域４０Ａ、４０Ｂを有し、それらの間に中央の窪み４２が設けられる。
【００３８】
下部３６及び上部３８は、互いに収束し、ほぼ軸Ａ−Ａ’上に位置する口の両端を形成する。
【００３９】
図１及び図２の実施形態では、好ましい塗布手段２６が、化粧品が堆積することを可能にする周囲ガター５０によって形成される。
【００４０】
周囲ガター５０は、有利には、線２４の厚みとほぼ同一の最大深さを有する。この深さは、例えば、０．５ｍｍより大きく、好ましくは１ｍｍより大きく、具体的には０．５ｍｍ〜３ｍｍである。
【００４１】
ガター５０は、ガター５０のベースに対して投射する、線２４の外縁３２及び内縁３４によって横方向が画定される。それは、有利には、全周囲線２４に沿って、塗布面１６の全周囲に亘って連続的に延在する。
【００４２】
これにより、下に示されるように、ガター５０は、特に、ガター５０内の化粧品の可能な堆積によって、中央領域２２によって塗布される表面質量より大きい化粧品の表面質量を受容かつ塗布することが可能である。
【００４３】
ここで、本願発明におけるアプリケータ１０を製造する方法を説明する。
【００４４】
初めに、使用者の口の型が凝固可能な成型材を使用して作られる。この材料は例えば、架橋性シリコーンなどの架橋性材料である。
【００４５】
次いで、裏当で型５２（図３に示す）が、可鍛材で、具体的には石膏などの脆性材料で作られる。裏当で型５２は、使用者の上唇及び下唇の形と類似した形を有する、２つの長手方向のビード５１Ａ、５１Ｂを有する。次いで、突出リブ５４が、裏当て型５２上の唇の輪郭に従って配置される。
【００４６】
次いで、本体１４が、裏当て型５２上に凝固可能な流体製品のブロックを成形することによって作られる。
【００４７】
凝固可能な材料は、例えば、架橋性材料、具体的には架橋性シリコーンである。
【００４８】
中央領域２２は、使用者に唇を表すビード５１Ａ、５１Ｂの向かいに形成され、ガター５０は、中央領域２２の周囲でリブ５４の周りに形成される。
【００４９】
次いで、成形された本体１４が、周囲線２４の外縁３２に従う唇の周囲に沿って切断される。
【００５０】
従って、このアプリケータは、使用者の唇の線に従うことから所定使用者の使用に完全に適している。
【００５１】
ここで、アプリケータ１０を使用して化粧品を塗布するための方法を説明する。
【００５２】
初めに、使用者はアプリケータ１０の本体１４を後方把持部分２０で握る。次いで、使用者は、塗布面１６上にこの全面を覆う化粧品を堆積させる。
【００５３】
化粧品は、例えば、装置１０の外側の容器から分配されてもよく、具体的には、スプレーすることによって、または、ブラシなどの塗布ツールを使うことによって分配されてもよい。
【００５４】
その周囲での好ましい塗布手段２６、具体的にはガター５０の存在を考慮すると、周囲線２４に受容された化粧品の特定量は、中央領域２２で受容する表面質量より大きい。
【００５５】
アプリケータ１０に化粧品が充填されると、使用者は、塗布面１６を唇と接触させるように持っていく。すなわち、使用者は、凹状の空間２８Ａ、２８Ｂに両唇それぞれを挿入する。
【００５６】
次いで、化粧品は、使用者の唇に押し付けることによって、接触により配置される。
【００５７】
次いで、使用者の唇の全面が、簡単に素早く安価な方法で、化粧品で覆われる。
【００５８】
好ましい塗布手段２６の存在を考慮すると、周囲線２４の向かいに配置された化粧品の表面質量は、中央領域の向かいに配置された化粧品の表面質量より、例えば少なくとも２倍大きい。
【００５９】
この配置された表面質量は、次のように測定される：  長さ２０ｍｍ以上、かつ、周囲線の幅と同じ幅Ｉに亘って、周囲線の向かいに塗布された製品が削り取られて収集される。この質量Ｍｌｉｎｅが量られる。同じこと（同じ長さ、同じ幅、同じ削り取るツール）が、（周囲線から５ｍｍに配置されている）中央領域の向かいに塗布された製品で実施される。この質量Ｍｃｅｎｔｒａｌが測定される。
【００６０】
この実験が３回実施され、Ｍｌｉｎｅ／Ｍｃｅｎｔｒａｌ比の平均値が出される。
【００６１】
このことが、非常に整った、使用者の唇の周りの輪郭線を付けること可能にし、重ね付けすることなしに、唇の中央領域に適切に付けることができる。
【００６２】
すると、使用者は、両唇を互いに対して軽くつまむことによって輪郭線に近づける必要もなく、中央領域に配置された製品を均等化できる。
【００６３】
上述の発明のおかげで、満足な結果を得るために大量の化粧品を使用する必要がない。得られる結果は、整っていて、外郭線が正確であり、中央領域への付け過ぎや不快になることはない。
【００６４】
つまり、特に完全に整った輪郭及び十分に理想的な線引きを作ることによって、メイクアップの劣化のリスクなしに、高い安定性を有する化粧品を使用することが可能になる。
【００６５】
線引きと輪郭の長時間に亘る安定性も改善される。
【００６６】
この方法を実施することは、１０秒、または、５秒も必要とせず、特別に簡単である。
【００６７】
本願発明における第２のアプリケータ１１０が、図４に示される。
【００６８】
第１のアプリケータ１０と違って、好ましい塗布手段２６は、周囲線２４で面１６を画定する吸収材１１２によって形成される。この吸収材１１２は、例えば、中央領域２２によって保持される製品の表面質量より大きな製品の表面質量を保持するのに適する、吸収性発砲体である。
【００６９】
上述のように、好ましい塗布手段２６を形成する吸収材１１２は、周囲線２４の向かいの化粧品の表面質量の塗布が、中央領域２２の向かいに塗布される表面質量より大きいことを確約する。
【００７０】
アプリケータ１１０を使用して実施される塗布方法は、上述のものと同じである。
【００７１】
本願発明における第３のアプリケータ２０が、図５に示される。この例では、好ましい塗布方法２６は、中央領域２２上の湿潤性より高い湿潤性を輪郭線２４上に有する表面によって形成される。
【００７２】
この湿潤性は、中央領域２２の表面張力より１０ｍＪ／ｍ２より高い、特に、中央領域２２の表面張力より２０ｍＪ／ｍ２より高い表面張力を特性とする。
【００７３】
表面張力は、ＧＯＯＤ  ＶＡＮ  ＯＳＳ及び／またはＯＷＥＮＳ及びＷＥＮＤＩＴのモデルに基づいた接触角の方法によって適切に測定される。
【００７４】
一滴の液体が、測定されるサンプルの表面上に注射器を使って配置される。接触角の測定は、カメラを使用したコンピュータによって撮像された画像によって実施される。ＷＩＮＧＯＵＴＴＥソフトウェアが、画像処理によって液滴の輪郭をデジタル化する。次いで、内挿法を使って接触角が決定される。ＷＩＮＧＯＵＴＴＥソフトウェアは、多項式または円弧（arc-of-circle）補完を使用して接触角を決定する。これらの測定がされた後、ＷＩＮＣＡＬＣソフトウェアが、２、３滴の異なる液体を使用して、測定のためにＧＯＯＤ  ＶＡＮ  ＯＳＳ及びＯＷＥＮＳ  ＷＥＮＤＴモデルに関連する様々な成分を計算する。ある場合では、電源式システムが、注射器の針を使って、次いで液滴に保持される、液滴の前進接触角（advancing angle）及び後退接触角（recessing angle）を測定することを可能にする。プレキシガラスチャンバーが、サンプル液滴システムを空気及び外部汚染から隔離することを可能にする。
【００７５】
接触角を測定にするのに使用される異なる液体は、例えば、水、グリセロール、ホルムアミド、エチレン・グリコール、ａ−ブロモナフタレン、ジヨードメタン、及び、ｃｉｓ−デカリンである。
【００７６】
つまり、化粧品が面１６上に配置される際、それが唇に塗布される前に、周囲線２４上に保持された化粧品の表面質量は、中央領域２２に保持される化粧品の表面質量より大きい。
【００７７】
従って、好ましい塗布手段２６は、中央領域２２の向かいに塗布される表面質量より大きい周囲線２４の向かいの化粧品の表面質量を塗布するのに適する。
【００７８】
本願発明による第４のアプリケータ１０が図６に示される。
【００７９】
第１のアプリケータ１０と違って、好ましい塗布手段２６は、輪郭線２４上のエネルギー供給アセンブリ３１２によって形成される。このアセンブリ３１２は、例えば、輪郭線２４の全周に亘って延在する輪郭線２４の局部加熱部材３１４を備える。局部加熱部材３１４は、有利に、電源供給装置３１６によって作動する。
【００８０】
アプリケータ３１０が使用される際、加熱部材３１４は、装置３１６によって電源供給される。次いで、輪郭線１６上の面１６の温度は、中央領域２２内の面１６の温度に対して好ましくは少なくとも１℃、より好ましくは３°高くなる。
【００８１】
従って、好ましい塗布手段２６は、中央領域２２の向かいに塗布される表面質量より大きい周囲線２４の向かいの化粧品の表面質量を塗布するのに適する。
【００８２】
本願発明における第５のアプリケータ４１０が図７に示される。第１のアプリケータ１０と違って、好ましい化粧品塗布手段２６は、周囲線２４に沿って分配された複数の化粧品分配オリフィス４１２を備える。オリフィス４１２は塗布面１６上に導く。オリフィスは、例えば、本体１４に設けられる化粧品の容器（図示せず）に接続される。
【００８３】
オリフィス４１２は、周囲線２４の向かいに化粧品を好ましく運ぶことができ、これにより、周囲線２４の向かいの化粧品の表面質量は、中央領域２２の向かいに塗布される表面質量より大きくなる。
【００８４】
中央領域２２は、中実であるか、または、オリフィスに４１２の面密度が周囲線２４上にあるオリフィス４１２の面密度より小さい状態でオリフィスを備える。
【００８５】
従って、アプリケータ４１０が使用される際、好ましい塗布手段２６は、中央領域２２の向かいに塗布される表面質量より大きい周囲線２４の向かいの化粧品の表面質量を塗布することができる。
【００８６】
別の方法では、例えば第１の色を付ける第１の化粧品が周囲線２４上に塗布され、かつ、第１の色とは異なる第２の色を付ける第２の化粧品が中央領域２２上に塗布される。
【符号の説明】
【００８７】
１０  アプリケータ
１４  本体
１６  塗布面
１８  空洞
２０  後方（把持）部分
２２  中央領域
２４  周囲線  輪郭線
２６  好ましい塗布手段
２８Ａ、２８Ｂ  凹状の空間
３２  外縁
３６  下部
３８  上部
４０Ａ、４０Ｂ  凸状の領域
４２  中央の窪み
５０  （周囲）ガター
５１Ａ、５１Ｂ  ビード
５２  裏当て型
５４  （突出）リブ
【図１】
2014527885.tif 000003
【図２】
2014527885.tif 000004
【図３】
2014527885.tif 000005
【図４】
2014527885.tif 000006
【図５】
2014527885.tif 000007
【図６】
2014527885.tif 000008
【図７】
2014527885.tif 000009
【国際調査報告】
2014527885.tif 000010
2014527885.tif 000011